(57)【要約】ディミング制御装置及びその方法に係り、該ディミング制御装置は、パワーパッドのタッチいかんによってランプの電源オン／オフを制御し、ディミングパッドのタッチいかんによって、ランプの照度を制御することにより、ユーザが段階的に明るさを制御することができ、それぞれの明るさ段階を便利に操作することができる。【選択図】図１
2016504729.tif 000002
【特許請求の範囲】
【請求項１】
ランプの照度を制御するディミング制御装置において、
前記ランプの電源供給をオン／オフにするためのタッチパネルによって構成されたパワーパッドと、
前記ランプの照度を制御するための少なくとも２以上のタッチパネルによって構成されたディミングパッドと、
前記パワーパッド及び前記ディミングパッドからタッチを感知するセンシング部と、
前記パワーパッドのタッチいかんにより、前記ランプの電源オン／オフを制御し、前記ディミングパッドのタッチいかんにより、前記ランプの照度を制御する制御部と、を含むディミング制御装置。
【請求項２】
前記制御部は、
前記少なくとも２以上のタッチパネルによって構成されたディミングパッドのタッチ位置によるディミング値により、前記ランプの照度を制御することを特徴とする請求項１に記載のディミング制御装置。
【請求項３】
前記制御部は、
前記少なくとも２以上のタッチパネルによって構成されたディミングパッドのタッチ方向により、前記ランプの照度を制御することを特徴とする請求項２に記載のディミング制御装置。
【請求項４】
前記少なくとも２以上のタッチパネルによって構成されたディミングパッドは、
前記ランプの照度に相応するように、段階的に配置されたことを特徴とする請求項１に記載のディミング制御装置。
【請求項５】
前記少なくとも２以上のタッチパネルによって構成されたディミングパッドそれぞれへのタッチいかんによってオン／オフになり、前記ディミングパッドそれぞれの動作状態をディスプレイする少なくとも２以上のディスプレイランプをさらに含むことを特徴とする請求項４に記載のディミング制御装置。
【請求項６】
前記ランプがオン／オフになるときのディミング値を保存する保存部をさらに含み、
前記制御部は、
前記ランプがオンになるとき、前記保存したディミング値に相応するように、前記ランプの照度を制御することを特徴とする請求項１に記載のディミング制御装置。
【請求項７】
ランプの照度を制御するディミング制御方法において、
前記ランプの電源供給をオン／オフにするためのタッチパネルによって構成されたパワーパッドがタッチされた場合、前記ランプの電源をオンにする段階と、
前記ランプの照度を制御するための少なくとも２以上のタッチパネルによって構成されたディミングパッドのタッチいかんにより、前記ランプの照度を制御する段階と、を含むディミング制御方法。
【請求項８】
前記制御段階は、
前記少なくとも２以上のタッチパネルによって構成されたディミングパッドのタッチ位置によるディミング値により、前記ランプの照度を制御することを特徴とする請求項７に記載のディミング制御方法。
【請求項９】
前記制御段階は、
前記少なくとも２以上のタッチパネルによって構成されたディミングパッドのタッチ方向により、前記ランプの照度を制御することを特徴とする請求項７に記載のディミング制御方法。
【請求項１０】
前記パワーパッドがタッチされた場合、前記ランプのディミング値を保存する段階と、
前記ランプの電源をオフにする段階と、をさらに含むことを特徴とする請求項７に記載のディミング制御方法。
【発明の詳細な説明】
【技術分野】
【０００１】
本発明は、ディミング制御装置及びその方法に関する。
【背景技術】
【０００２】
最近、照明器具において、ランプの光量を調節するディミング（dimming）機能、すなわち、調光機能は、すでに白熱電球及び蛍光灯だけではなく、最近の発光ダイオード（ＬＥＤ：light emitting diode）を網羅する多様なランプに使用されている。
【０００３】
また、その制御方式も、多様に提示されている。特に、節電のためのディミング機能は、国内で最も多用されている照明灯の一つである蛍光ランプにも適用され始めてから、多くのディミング安定器が普及されている。
【０００４】
しかし、それらのほとんどが制御器を介して手動で作動させる方式を採択しており、ユーザが操作するのに不便であって煩わしいだけではなく、自然採光量や周辺照度の変化による効率的な制御が不可能である。また、ディミング機能は、一律的に設定されたランプの照度に制御されるために、ユーザが段階的に明るさを制御し難いという問題点と、それぞれの明るさ段階を、便利にユーザが操作することができなかったという問題点とがあった。
【発明の概要】
【発明が解決しようとする課題】
【０００５】
本発明は、ユーザが段階的に明るさを制御することができ、それぞれの明るさ段階を便利に操作することができるディミング制御装置及びその方法を提供するものである。
【課題を解決するための手段】
【０００６】
前記技術的課題を達成するための、本発明の一実施形態によるランプの照度を制御するディミング制御装置は、前記ランプの電源供給をオン／オフにするためのタッチパネルによって構成されたパワーパッド；前記ランプの照度を制御するための少なくとも２以上のタッチパネルによって構成されたディミングパッド；前記パワーパッド及び前記ディミングパッドからタッチを感知するセンシング部；及び前記パワーパッドのタッチいかんにより、前記ランプの電源オン／オフを制御し、前記ディミングパッドのタッチいかんにより、前記ランプの照度を制御する制御部；を含む。
【０００７】
前記制御部は、前記少なくとも２以上のタッチパネルによって構成されたディミングパッドのタッチ位置によるディミング値により、前記ランプの照度を制御することを特徴とする。
【０００８】
前記制御部は、前記少なくとも２以上のタッチパネルによって構成されたディミングパッドのタッチ方向により、前記ランプの照度を制御することを特徴とする。
【０００９】
前記少なくとも２以上のタッチパネルによって構成されたディミングパッドは、前記ランプの照度に相応するように、段階的に配置されたことを特徴とする。
【００１０】
前記ディミング制御装置は、前記少なくとも２以上のタッチパネルによって構成されたディミングパッドそれぞれへのタッチいかんによってオン／オフになり、前記ディミングパッドそれぞれの動作状態をディスプレイする少なくとも２以上のディスプレイランプをさらに含むことを特徴とする。
【００１１】
前記ディミング制御装置は、前記ランプがオン／オフになるときのディミング値を保存する保存部をさらに含み、前記制御部は、前記ランプがオンになるとき、前記保存したディミング値に相応するように、前記ランプの照度を制御することを特徴とする。
【００１２】
前記他の技術的課題を達成するための、本発明の他の実施形態によるランプの照度を制御するディミング制御方法は、前記ランプの電源供給をオン／オフにするためのタッチパネルによって構成されたパワーパッドがタッチされた場合、前記ランプの電源をオンにする段階と、前記ランプの照度を制御するための少なくとも２以上のタッチパネルによって構成されたディミングパッドのタッチいかんにより、前記ランプの照度を制御する段階と、を含む。
【００１３】
前記制御段階は、前記少なくとも２以上のタッチパネルによって構成されたディミングパッドのタッチ位置によるディミング値により、前記ランプの照度を制御することを特徴とする。
【００１４】
前記制御段階は、前記少なくとも２以上のタッチパネルによって構成されたディミングパッドのタッチ方向により、前記ランプの照度を制御することを特徴とする。
【００１５】
前記ディミング制御方法は、前記パワーパッドがタッチされた場合、前記ランプのディミング値を保存する段階と、前記ランプの電源をオフにする段階と、をさらに含むことを特徴とする。
【発明の効果】
【００１６】
本発明の一実施形態によるディミング制御装置は、パワーパッドのタッチいかんによってランプの電源オン／オフを制御し、ディミングパッドのタッチいかんによってランプの照度を制御することにより、ユーザが段階的に明るさを制御することができ、それぞれの明るさ段階を便利に操作することができる。
【図面の簡単な説明】
【００１７】
【図１】本発明の一実施形態によるディミング制御装置の外観を図示した図面である。
【図２】図１に図示されたディミング制御装置を概略的に図示した図面である。
【図３】本発明の他の実施形態によるディミング制御方法について説明するためのフローチャートである。
【図４】本発明の他の実施形態によるディミング制御方法について説明するためのフローチャートである。
【発明を実施するための形態】
【００１８】
本発明は、多様な変換を加えることができ、さまざまな実施形態を有することができるが、特定の実施形態を図面に例示し、詳細な説明で詳細に説明する。しかし、それらは、本発明を、特定の実施形態に対して限定するものではなく、本発明の思想及び技術範囲に含まれる全ての変換、均等物ないし代替物を含むものであると理解されなければならない。本発明の説明において、関連公知技術に係わる具体的な説明が、本発明の要旨を不明瞭にすると判断される場合、その詳細な説明を省略する。
【００１９】
第１、第２のような用語は、多様な構成要素についての説明に使用されるが、構成要素は、用語によって限定されるものではない。用語は、１つの構成要素を他の構成要素から区別する目的のみに使用される。
【００２０】
本出願で使用された用語は、ただ特定の実施形態についての説明のために使用されたものであり、本発明を限定する意図ではない。単数の表現は、文脈上明白に異なって意味しない限り、複数の表現を含む。本出願において、「含む」または「有する」というような用語は、明細書上に記載された特徴、個数、段階、動作、構成要素、部品、またはそれらの組み合わせが存在することを指定するものであり、一つまたはそれ以上の他の特徴、個数、段階、動作、構成要素、部品、またはそれらの組み合わせた存在または付加の可能性をあらかじめ排除するものではないと理解されなければならない。
【００２１】
以下、本発明の実施形態について、添付図面を参照して詳細に説明するが、添付図面を参照して説明するにあたり、同一であるか、あるいは対応する構成要素は、同一図面番号を付し、それに係わる重複説明は省略する。
【００２２】
図１は、本発明の一実施形態によるディミング制御装置１００の外観を図示した図面である。
【００２３】
図１を参照すれば、ディミング制御装置１００は、ランプ（図示せず）の照度を制御する装置である。本発明の一実施形態によるディミング制御装置１００は、スタンド、一般照明など多様な形態に適用可能であり、ランプは、ＬＥＤ（light emitting diode）、蛍光灯など多様な形態のランプでもある。
【００２４】
ディミング制御装置１００は、パワーパッド１１０、ディミングパッド１２０−１ないし１２０−１１、及びそれぞれのディミングパッド１２０−１ないし１２０−１１の動作状態をディスプレイするディスプレイランプ１３０−１ないし１３０−１１を含んでもよい。パワーパッド１１０は、ディミング制御装置１００のユーザ・インターフェース部分の中心部に配置され、タッチパネルで具現される。ここで、タッチパネルは、光センサ方式、抵抗膜方式、静電容量方式またはハイブリッド方式でもあるが、その種類に限定されるものではない。パワーパッド１１０のタッチいかんによって、ランプがオン／オフになる。
【００２５】
パワーパッド１１０を中心点に、円形にディミングパッド１２０−１ないし１２０−１１がそれぞれ図示されている。ディミングパッド１２０−１ないし１２０−１１それぞれは、ランプの照度程度を示し、パワーパッド１１０と同一に、タッチパネルで具現される。それぞれのディミングパッド１２０−１ないし１２０−１１は、段階的にランプの照度が上昇する方向に配置される。例えばディミングパッド１２０−１が最小ディミング値を示し、ディミングパッド１２０−１１が最大ディミング値を示すことができる。従って、ユーザがディミングパッド１２０−１をタッチした場合には、ランプの最小明るさにランプの照度を制御し、ディミングパッド１２０−１１をタッチした場合には、ランプの最大明るさにランプの照度を制御する。本発明の一実施形態では、それぞれのディミングパッド１２０−１ないし１２０−１１の配置によって、既設定のディミング値でディミング制御する。本発明の他の実施形態において、ユーザがディミングパッド１２０−１ないし１２０−１１をドラッグする方向またはタッチ方向、例えば、時計回り方向にドラッグする場合には、最初タッチしたディミングパッドから最後のディミングパッドまでの長さに応じてランプの照度を上昇させるディミング制御を行うことができる。反対に、反時計回り方向にドラッグする場合には、ランプの照度を低下させるディミング制御を行う。ここで、ディミングパッドの個数を１１個に図示して説明したが、その数に限定されるものではないということは言うまでもない。また、パワーパッド１１０と、ディミングパッド１２０−１ないし１２０−１１とが分離されているように図示してあるが、それに限定されるものではなく、一体に具現可能であるということは言うまでもない。
【００２６】
さらに図１を参照すれば、ディミングパッド１２０−１ないし１２０−１１に隣接し、それぞれのディミングパッド１２０−１ないし１２０−１１の動作状態を示すディスプレイランプ１３０−１ないし１３０−１１が図示されている。ディスプレイランプ１３０−１ないし１３０−１１は、ディミングパッド１２０−１ないし１２０−１１のタッチいかんによって、オンまたはオフになる。
【００２７】
図２は、図１に図示されたディミング制御装置１００を概略的に図示した図面である。
【００２８】
図２を参照すれば、ディミング制御装置２００は、ディミングパッド１２０−１ないし１２０−１１、パワーパッド１１０からタッチいかんを感知するセンシング部２２０、センシング部２２０が感知したタッチいかんに相応するタッチ信号によって、ランプのオン／オフ、及びディミング制御を行う制御部２１０及び保存部２３０を含む。
【００２９】
センシング部２２０は、パワーパッド１１０と、それぞれのディミングパッド１２０−１ないし１２０−１１とのタッチいかんを感知する。ここで、パワーパッド１１０の誤動作を防止するために、センシング周期を、ディミングパッド１２０−１ないし１２０−１１のセンシング周期よりも長く設定し、タッチいかんを感知することができる。
【００３０】
制御部２１０は、パワーパッド１１０のタッチいかんによって、ランプの電源オン／オフを制御し、ディミングパッド１２０−１ないし１２０−１１のタッチいかんによって、ランプの照度を制御する。また、図１に図示されたディスプレイランプ１３０−１ないし１３０−１１のオン／オフを制御する。具体的には、制御部２１０は、ＭＣＵ（micro computer unit）でもある。制御部２１０は、パワー制御部２４０、ディミング制御部２５０及びディスプレイ制御部２６０を介して、ランプの電源オン／オフ、ディミング制御、及びディスプレイランプのオン／オフを制御することができる。
【００３１】
保存部２３０は、パワーパッド１１０のタッチによってランプがオフになった場合、現在設定されているディミング値またはディミング制御値を保存する。制御部２１０は、またパワーパッド１１０のタッチにより、ランプがオンになる場合、保存されたディミング値でディミング制御を行うことができる。また、制御部２１０は、設定されたり、あるいは保存されたりするディミング値がない場合には、中間ディミング値を基準に、ディミング制御を行うことができる。
【００３２】
図３は、本発明の他の実施形態によるディミング制御方法について説明するためのフローチャートである。
【００３３】
図３を参照すれば、段階３００及び段階３０２において、パワーパッドがタッチされた場合、ランプに電源を供給してオンにする。段階３０４において、ディミングパッドがタッチされた場合、段階３０６において、タッチされたディミングパッド、例えば、図１に図示された１１個のディミングパッドのうちいずれのディミングパッドがタッチされたかということを感知する。段階３０８において、タッチされたディミングパッドに相応するディミング値でディミング制御を行う。図３には、図示されていないが、ディミング制御と共に、図１に図示された、タッチされたディミングパッドのディスプレイランプをオンにする制御を行うこともできる。
【００３４】
図４は、本発明のさらに他の実施形態によるディミング制御方法について説明するためのフローチャートである。
【００３５】
図４を参照すれば、段階４００及び段階４０２において、パワーパッドがタッチされた場合、ランプに電源を供給してオンにする。段階４０４において、既設定のディミング値に相応するようにディミング制御を行う。ここで、既設定のディミング値は、デフォルトに設定されている中間ディミング値、または以前のパワーオフ前に設定されているディミング値でもある。
【００３６】
段階４０６において、ディミングパッドがタッチされたか否かということを判断する。段階４０８及び段階４１０において、ディミングパッドのタッチ方向またはドラッグ方向を感知し、感知した方向によってディミング制御を行う。例えば、時計回り方向に５個のディミングパッドがドラッグされた場合には、ランプの照度を５番目の段階にディミング制御を行い、反時計回り方向に３個のディミングパッドがドラッグされた場合には、現在のディミング値から３段階低減させたディミング値でディミング制御を行うことができる。
【００３７】
段階４１２において、パワーパッドがタッチされた場合には、段階４１４において、現在設定されたディミング値を保存してから、段階４１６において、ランプに電源供給を中断させてランプをオフにする。
【００３８】
本発明による装置は、プロセッサ、プログラムデータを保存して実行するメモリ、ディスクドライブのような永久保存部（permanent storage）；外部装置と通信する通信ポート；及びタッチパネル、キー（key）、ボタンのようなユーザ・インターフェース装置；を含んでもよい。ソフトウェア・モジュールまたはアルゴリズムで具現される方法は、前記プロセッサ上で実行可能なコンピュータで読み取り可能なコードまたはプログラム命令でもって、コンピュータで読み取り可能な記録媒体上に保存される。ここで、コンピュータで読み取り可能な記録媒体として、マグネチック記録媒体（例えば、ＲＯＭ（read only memory）、ＲＡＭ（random access memory）、フロッピーディスク、ハードディスクなど）；及び光学的判読媒体（例えば、ＣＤ（compact disc）−ＲＯＭ、ＤＶＤ（digital versatile disc））；がある。コンピュータで読み取り可能な記録媒体は、ネットワークに連結されたコンピュータシステムに分散されて、分散方式によって、コンピュータで読み取り可能なコードが保存されて実行される。媒体は、コンピュータによって判読可能であり、メモリに保存され、プロセッサで実行される。
【００３９】
本発明で引用する公開文献、特許出願、特許などを含む全ての文献は、各引用文献が、個別的及び具体的に併合して示すもの、または本発明で全体的に併合して示すものも、同一に本発明に併合される。
【００４０】
本発明の理解のために、図面に図示された望ましい実施形態において、参照符号を記載し、本発明の実施形態について説明するために、特定用語を使用したが、特定用語によって、本発明が限定されるものではなく、本発明は、当業者において、一般的に考えられている全ての構成要素を含んでもよい。
【００４１】
本発明は、機能的なブロック構成、及び多様な処理段階で示される。そのような機能ブロックは、特定機能を実行する多様な個数のハードウェアまたは／及びソフトウェア構成で具現される。例えば、本発明は、一つ以上のマイクロプロセッサの制御、または他の制御装置によって多様な機能を実行することができ、メモリ、プロセッシング、ロジック（logic）、ルックアップテーブル（look-up table）のような集積回路構成を採用することができる。本発明の構成要素がソフトウェア・プログラミングまたはソフトウェア要素で実行されるということと類似して、本発明は、データ構造、プロセス、ルーチン、または他のプログラミング構成の組み合わせによって具現される多様なアルゴリズムを含み、Ｃ、Ｃ＋＋、ジャバ（Java）、アセンブラ（assembler）のようなプログラミングまたはスクリプティング言語でも具現される。機能的な側面は、一つ以上のプロセッサで実行されるアルゴリズムによっても具現される。また、本発明は、電子的な環境設定、信号処理、及び／またはデータ処理などのために、従来技術を採用することができる。「メカニズム」、「要素」、「手段」、「構成」のような用語は、広く使用され、機械的であって物理的な構成として限定されるものではない。前記用語は、プロセッサなどと連繋し、ソフトウェアの一連の処理（routines）の意味を含んでもよい。
【００４２】
本発明で説明する特定実行は、一実施形態であり、いかなる方法でも、本発明の範囲を限定するものではない。明細書の簡潔さのために、従来の電子的な構成、制御システム、ソフトウェア、前記システムの他の機能的な側面の記載は、省略されてもよい。また、図面に図示された構成要素間の線の連結または連結部材は、機能的な連結及び／または物理的、または回路的な連結を例示的に示したものであり、実際の装置では、代替可能であったり、あるいは追加されたりする多様な機能的な連結、物理的な連結または回路の連結としても示される。また、「必須的」、「重要」というように、具体的な言及がなければ、本発明の適用のために、必ずしも必要な構成要素ではないこともある。
【００４３】
本発明の明細書（特に、特許請求の範囲で）において、「前記」の用語、及びそれと類似した指示用語の使用は、単数及び複数のいずれにも該当する。また、本発明において、範囲（range）を記載した場合、前記範囲に属する個別的な値を適用した発明を含むものであり（それに反する記載がなければ）、発明の詳細な説明において、前記範囲を構成する各個別的な値を記載した通りである。最後に、本発明による方法を構成する段階について、明白に順序を記載したり、あるいは反対となる記載がなかったりするならば、前記段階は、適する順序で行われるのである。必ずしも前記段階の記載順序に沿って、本発明が限定されるものではない。本発明において、全ての例または例示的な用語（例えば、などなど）の使用は、単に本発明を詳細に説明するためのものであり、特許請求範囲によって限定されない以上、前記例または例示的な用語によって、本発明の範囲が限定されるものではない。また、当業者は、多様な修正、組み合わせ及び変更が付加された特許請求の範囲、またはその均等物の範疇内で、設計条件及びファクタによって構成されるということが分かるであろう。
【図１】
2016504729.tif 000003
【図２】
2016504729.tif 000004
【図３】
2016504729.tif 000005
【図４】
2016504729.tif 000006
【国際調査報告】
2016504729.tif 000007
2016504729.tif 000008
2016504729.tif 000009
2016504729.tif 000010